(57)【特許請求の範囲】
【請求項１】
セグメント周囲の接合面に形成したほぞ及びほぞ溝を互いに嵌合させてセグメント間を接合させ、互いに隣り合う接合面間を、一方のセグメント内周側面の凹部から該セグメントの接合面に貫通させたボルト挿入孔を通して他方のセグメントの接合面に埋設したアンカーナットに組み立てボルトを螺合させて組み立てるようにしてなるシールドトンネル覆工にあって、
前記セグメント内周側面の凹部のボルト挿入孔開口部外に、先端開口を露出させてシリンダーを埋設し、該シリンダー内にボルト抜け止め用突起を出入自在に収容し、組み立てボルトの締結後、前記ボルト抜け止め用突起を該ボルト頭部延長位置に突出させるようにしたことを特徴としてなるほぞ付きセグメントの組み立てボルト脱落防止装置。
【請求項２】
シリンダーの先端開口を円筒部内径より小さく成形し、該シリンダー内をスライド可能で前記先端開口より大径抜け止め用フランジを、ボルト抜け止め用突起のシリンダー内側端部に備えてなる請求項１に記載のほぞ付きセグメントの組み立てボルト脱落防止装置。
【請求項３】
シリンダーの先端開口内面に雌ネジを備え、該雌ネジにボルト抜け止め用突起の突出阻止用の栓体を着脱自在に螺合させてなる請求項１又は２に記載のほぞ付きセグメントの組み立てボルト脱落防止装置。
【発明の詳細な説明】
【０００１】
【発明の属する技術分野】
本発明は、ほぞ付きセグメントを組み立ててシールドトンネルの覆工を形成する際に使用する仮止め用の組み立てボルトが、トンネル供用時に脱落するのを防止するほぞ付きセグメントの組み立てボルト脱落防止装置に関する。
【０００２】
【従来の技術】
一般にシールドトンネルは、コンクリートセグメントをリング状に組み立てて覆工を順次延長させるようにしており、近年、トンネル軸方向側の接合端面（リング間接合面）に、互いに嵌り合うほぞ及びほぞ溝を形成し、その嵌り合いによって接合部のせん断荷重に対抗させるようにした所謂ほぞ付きセグメントによるジールドトンネルが開発されている。この他、セグメントの円周方向側接合端面（セグメント間接合面）にもほぞ及びほぞ溝を備えたものも開発されている。
【０００３】
このほぞ付きセグメントの組み立ては、図８，図９に示すように、一方のセグメント１ａの内周側面に形成した凹部２から該セグメントの接合面３ａにボルト挿入孔４を貫通開口させ、他方のセグメント１ｂの接合面３ｂにアンカーナット５を埋設しておき、組み立てボルト６を凹部２からボルト挿入孔４を貫通させてアンカーナット５に螺合させることにより仮止めしつつ全体の覆工７を組み立てるようにしている。
【０００４】
尚、図８はリング間接合部を、図９はセグメント間接合部を示している。
【０００５】
ここに使用されている組み立てボルト６は、組み立て後セグメント間の接合強度を維持させるためのものではなく、組み立て完了後はその役目を終えて不要となるとともに、覆工はその内周面に二次覆工を施すことなく、セグメントの内周側面をトンネル内面に露出させた状態で供用する。
【０００６】
【発明が解決しようとする課題】
上述の如き従来のほぞ付きセグメントによるシールドトンネルでは、覆工の組み立て後においては組み立て用ボルトは不要となるが、これを取り外すには多くの手数を要し、取り外して再利用するより、そのままにしておく方がコスト減となるため取り付けたままとなっている。
【０００７】
しかし、この組み立てボルトは通常トンネル内面に露出した状態となっているため、トンネル供用時に振動で緩み、脱落する場合が考えられる。
【０００８】
本発明はこのような状況に鑑み、主としてセグメント内周側面が露出した状態で供用されるトンネルにおいて、組み立てボルトの脱落が効果的に防止されるほぞ付きセグメントの組み立てボルト落下防止装置の提供を目的としてなされたものである。
【０００９】
【課題を解決するための手段】
上述の如き従来の問題を解決し、所期の目的を達成するための本発明の特徴は、セグメント周囲の接合面に形成したほぞ及びほぞ溝を互いに嵌合させてセグメント間を接合させ、互いに隣り合う接合面間を、一方のセグメント内周側面の凹部から該セグメントの接合面に貫通させたボルト挿入孔を通して他方のセグメントの接合面に埋設したアンカーナットに組み立てボルトを螺合させて組み立てるようにしてなるシールドトンネル覆工にあって、前記セグメント内周側面の凹部のボルト挿入孔開口部外に、先端開口を露出させてシリンダーを埋設し、該シリンダー内にボルト抜け止め用突起を出入自在に収容し、組み立てボルトの締結後、前記ボルト抜け止め用突起を該ボルト頭部延長位置に突出させるようにしたことにある。
【００１０】
尚、シリンダーの先端開口を円筒部内径より小さく成形し、該シリンダー内をスライド可能で前記先端開口より大径抜け止め用フランジを、ボルト抜け止め用突起のシリンダー内側端部に備えること、及び、シリンダーの先端開口内面に雌ネジを備え、該雌ネジにボルト抜け止め用突起の突出阻止用の栓体を着脱自在に螺合させることが好ましい。
【００１１】
【発明の実施の形態】
次に本発明の実施の形態を図１〜図７について説明する。尚、前述した従来例と同一部分には同一符号を付して重複説明を省略する。
【００１２】
図において、１０は本発明に係る組み立てボルト落下防止装置を示している。この装置１０は、セグメント１ａに埋設されたシリンダー１１と、該シリンダー１１内に収容され、先端側がシリンダー開口部から出入自在なボルト抜け止め用突起１２とを有している。
【００１３】
シリンダー１１は円筒部１１ａの一端側に該円筒部の内径より小径の開口部１１ｂがあり、他端側は底蓋１３により閉鎖されている。開口部１１ｂの内周面には雌ネジが刻設され、これに栓体１４が螺合されている。
【００１４】
ボルト抜け止め用突起１２は先端側１２ａがシリンダー１１の開口部１１ｂから突出自在にシリンダー１１内に収容されており、突起１２のシリンダー内側の端部にはシリンダー１１の円筒部１１ａ内を軸方向に移動自在で、開口部１１ｂより大径の抜け止め用フランジ１２ｂが一体に成形され、栓体１４が開口部に嵌められた状態で全体がシリンダー１１内に収容されるようになっている。
【００１５】
また、シリンダー１１は、セグメント内周面に形成した凹部２の表面に開口部１１ｂが露出する配置に埋設され、組み立てボルト６をアンカーナット５に螺合させて締めた状態のボルト頭部５ａの延長側に突起１２が突出される位置に設置されている。
【００１６】
このように構成される組み立てボルト落下防止装置の設置に際しては、図７に示すように、シリンダー開口部１１ｂの栓体１４を外し、これにセグメントの凹部２を成形する型材１５に貫通させたボルト１６を開口部１１ｂに螺合させることによって型材１５に固定し、コンクリートを打設してセグメントを成形する。これによってセグメントの凹部２の表面に開口部１１ｂを露出させた状態でシリンダー１１が埋設される。
【００１７】
そして、ボルト１６を外してセグメント成形型枠を外し、図６に示すように開口部１１ｂに栓体１４を螺合させた状態でセグメントをトンネル内に搬入し、組み立てボルト６を使用して互いにセグメント間を連結し、覆工を組み立てる。このようにして組み立てが完了した後、栓体１４を外す。
【００１８】
これによって、シリンダー開口部１１ｂが下向きになっている位置では、図３、図４及び図５に示すように突起１２が自重で突出し、組み立てボルト頭部６ａの延長側に突出し、該ボルト６が緩んでも突起１２に当接し脱落が防止される。
【００１９】
尚、突起１２が確実に突出されるようにシリンダー１１内のフランジの奥に、コイルスプリング等の突起押し出し手段（図示せず）を収容しておいてもよい。
【００２０】
しかし、この突起押し出し手段が無い場合、シリンダー開口部１１ａが水平〜上向きで、突起１２が自重では突出しない位置では、突起１２は自重でシリンダー１１内に入り込んだままの状態となるが、その位置では組み立てボルトが脱落することがなく、脱落防止の必要がないため、必ずしも必要ではない。
【００２１】
【発明の効果】
上述のように、本発明に係るほぞ付きセグメントの組み立てボルト脱落防止装置は、セグメント周囲の接合面に形成したほぞ及びほぞ溝を互いに嵌合させてセグメント間を接合させ、互いに隣り合う接合面間を、一方のセグメント内周側面の凹部から該セグメントの接合面に貫通させたボルト挿入孔を通して他方のセグメントの接合面に埋設したアンカーナットに組み立てボルトを螺合させて組み立てるようにしてなるシールドトンネル覆工にあって、前記セグメント内周側面の凹部のボルト挿入孔開口部外に、該ボルト挿入孔に挿通された組み立てボルトの頭部延長位置にボルト抜け止め用突起を突出させるようにしたことにより、組み立て時の仮止め用として使用した組み立て用ボルトが緩んでも脱落がなくなり、通行に危険を生じさせることがなくなる。
【００２２】
また、セグメント内周側面の凹部に先端開口を露出させてシリンダーを埋設し、該シリンダー内にボルト抜け止め用突起を出入自在に収容し、組み立てボルトの締結後、前記ボルト抜け止め用突起を該ボルト頭部延長位置に突出させるようにすることにより、セグメントの製造時に一体にインサート成形することによって簡単に設置され、現場での特別に面倒な作業を要せずに脱落防止がなされる。
【００２３】
更に、シリンダーの先端開口を円筒部内径より小さく成形し、該シリンダー内をスライド可能で前記先端開口より大径抜け止め用フランジを、ボルト抜け止め用突起のシリンダー内側端部に備えることにより、脱落防止が必要な個所の突起を自重で突出させることができ作業性がよい。
【００２４】
更に、シリンダーの先端開口内面に雌ネジを備え、該雌ネジにボルト抜け止め用突起の突出阻止用の栓体を着脱自在に螺合させることにより、セグメントに対するインサート成形時に型材への取付が、型材を貫通させた取り付け用ボルトによって簡単に支持させることができる。
【図面の簡単な説明】
【図１】本発明の装置を設置したほぞ付きセグメントによる覆工のトンネル半径方向の半断面図である。
【図２】同覆工上部のトンネル軸方向の部分断面図だある。
【図３】同上の覆工のリング間接合部を示す拡大断面図である。
【図４】同セグメント間接合部を示す拡大断面図である。
【図５】図１〜図４に示す例に使用したボルト脱落装置の拡大断面図である。
【図６】同上の組み立てボルト締め付け時における状態を示す拡大断面図である。
【図７】同上の型材に支持させてコンクリートを打設する際の状態を示す拡大断面図である。
【図８】従来のほぞ付きセグメントによる覆工のリング間接合部を示す断面図である。
【図９】同セグメント間接合部を示す断面図である。
【符号の説明】
１ａ，１ｂ  セグメント
２  凹部
３ａ，３ｂ  接合面
４  ボルト挿入孔
５  アンカーナット
５ａ  ボルト頭部
６  組み立てボルト
６ａ  組み立てボルト頭部
７  覆工
１０  組み立てボルト落下防止装置
１１  シリンダー
１１ａ  円筒部
１１ｂ  開口部
１２  ボルト抜け止め用突起
１２ａ  先端側
１２ｂ  抜け止め用フランジ
１３  底蓋
１４  栓体
１５  型材
１６  ボルト
【図１】
0003787637.tif 000002
【図２】
0003787637.tif 000003
【図３】
0003787637.tif 000004
【図４】
0003787637.tif 000005
【図５】
0003787637.tif 000006
【図６】
0003787637.tif 000007
【図７】
0003787637.tif 000008
【図８】
0003787637.tif 000009
【図９】
0003787637.tif 000010